【事件の表示】
　特願２０００−１３２７９６「遊技機用液晶表示装置」拒絶査定不服審判事件〔平成１３年１１月　６日出願公開、特開２００１−３１００３６〕について、次のとおり審決する。
【結　論】
　本件審判の請求は、成り立たない。
【理　由】
第１．手続の経緯　
　本願は、平成１２年５月１日の出願であって、平成１５年８月１８日付の拒絶理由通知に対して同年１０月２１日付で手続補正がなされ、これに対し、平成１６年７月８日付で拒絶査定がなされ、これに対し、同年８月１２日に拒絶査定不服の審判請求がなされるとともに同年９月６日付で手続補正がなされたものである。
　
　
第２．平成１６年９月６日付の手続補正についての補正却下の決定　
〔補正却下の決定の結論〕　
　平成１６年９月６日付の手続補正（以下、「本件補正」という。）を却下する。　
　
［理由］　
【１】本件補正の内容と補正の適否　
　本件補正により、特許請求の範囲の請求項１は、平成１５年１０月２１日付手続補正により補正された特許請求の範囲の請求項１に記載された
「【請求項１】　遊技盤に配置される遊技機用液晶表示装置において、
　液晶表示素子と、
　バックライト部と、
　あらかじめ設定された各種の画像表示のためのデータ、画像生成のためのプログラム、および外部のＣＰＵを含む基板からインターフェースを介してコマンドを入力する入力部を備え、前記入力部に入力したコマンドを受けて、前記データを使用して当該コマンドに対応した画像を表すビデオ信号を出力する処理回路である画像制御基板と、
　前記バックライト部の蛍光管を駆動するインバータ、およびビデオ信号を入力し、入力した信号にガンマ補正処理を行うガンマ補正回路を含み、前記ガンマ補正回路により補正された信号を使用して表示する駆動回路基板と、
　前記液晶表示素子、前記バックライト部および前記駆動回路基板を内包し、前面に前記液晶表示素子の表示面に対応した開口部を有し、前記前面と対向する背面に背面板を備えて取り付け部を形成した画像パネルユニットと、
　前記画像パネルユニットの背面に取り付けられる前記画像制御基板を不正防止のために包囲する透明なケース状の部材であって、前記画像パネルユニットの前記取り付け部に対応する位置に対応する孔明部を備えたケース部材と
　を備えて一体に形成したことを特徴とする遊技機用液晶表示装置。」から、　
　
「【請求項１】　遊技盤に配置される遊技機用液晶表示装置において、
　液晶表示素子と、
　
前記液晶表示器用の
、
前
、アナログ・
て
のブラックレベルをクランプするクランプ回路、クランプ回路の出力に
、および
前記液晶表示素子に出力する回路を備える
　
を内包し、前
に取
形成する、背面板を備えた
　あらかじめ設定された各種の画像表示のためのデータ、画像生成のためのプログラム、および外部のＣＰＵを含む基板からインターフェースを介してコマンドを入力する入力部、を備え、前記入力部に入力したコマンドを受けて、前記データを使用して当該コマンドに対応した画像を表す前記
アナログ・
を備える
　前記画像パネルユニットの背面に取り付けられる前記画像制御基板を不正防止のために包囲する透明なケース状の部材であって、前記画像パネルユニットの前記取り付け部に対応する位置に対応する孔明部を備えたケース部材と
　を備え
、前記画像パネルユニットの背面に前記画像制御基板を配置し、前記ケース部材を、前記画像制御基板を包囲するように前記画像パネルユニットの背面に配置して
へと補正された。　
　
　本件補正により特許請求の範囲の請求項１にした補正は、駆動回路基板が、「ブラックレベルをクランプするクランプ回路」を備えるとともに、該「クランプ回路」に入力するビデオ信号が、「アナログ・ビデオ信号」であり、ガンマ補正回路が行うガンマ補正処理の対象が、「クランプ回路の出力」であるとともに、前記駆動回路基板が、該ガンマ補正回路により補正された信号を「前記液晶表示素子に出力する回路を備える」ものであることを特定し、また、ビデオ信号を出力する処理回路である画像制御基板が、「前記アナログ・ビデオ信号を出力する処理回路を備え」たものであることを特定し、さらに、「前記画像パネルユニットの背面に前記画像制御基板を配置し、前記ケース部材を、前記画像制御基板を包囲するように前記画像パネルユニットの背面に配置し」たことを特定したものであるが、これらは発明特定事項の直列的付加または上位概念から下位概念への変更に当たり、平成１８年改正前特許法第１７条の２第４項第２号に規定する「特許請求の範囲の減縮（第三十六条第五項の規定により請求項に記載した発明を特定するために必要な事項を限定するものであって、その補正前の当該請求項に記載された発明とその補正後の当該請求項に記載される発明の産業上の利用分野及び解決しようとする課題が同一であるものに限る。）」を目的としたものに該当するから、以下、本件補正後の請求項１に記載された発明（以下、「本願補正発明」という。）が特許出願の際に独立して特許を受けることができるものであるか（平成１８年改正前特許法第１７条の２第５項において準用する同法第１２６条第５項の規定に適合するか）否かを検討する。　
　
　
【２】独立特許要件の適否　
［１］引用例に記載の発明・技術　
　第１引用例：特開２０００−８４１９６号公報
　第２引用例：特開平７−１７８２２３号公報
　第３引用例：特開２０００−９３５９６号公報
　第４引用例：特開平１０−１４５７０６号公報
　第５引用例：特開平７−１００２５３号公報
　第６引用例：特開平８−１０７９６０号公報
　
（１）第１引用例に記載の発明　
　原査定の拒絶の理由に引用された、平成１２年３月２８日に頒布された刊行物である第１引用例（特開２０００−８４１９６号公報）には、以下の事項が記載されている。
（ア）「【０００４】図９は、このような画像表示装置を備えた遊技台の概略構造を示しており、遊技台の遊技盤１の中央にはＬＣＤユニット１０が固定され、遊技盤１の背面側には、ＬＣＤユニット１０とともに画像表示装置を形成する表示コントローラ１１と、遊技台全体の制御を行う遊技制御装置１２が固定されている。」（第２頁第１欄５０行〜第２欄５行）
（イ）「【００１６】図１〜図５に示しているように、この画像表示装置２０は、ＬＣＤユニット２１、シールド板３０、表示コントローラ回路基板４５およびカバー６０によって一体に形成されている。
　【００１７】ＬＣＤユニット２１は、ＲＧＢ信号や垂直水平同期信号を受けて画像を表示する定型（５インチや６インチ等）の汎用ユニットであり、矩形枠状に形成されたフレーム２２の内側前部に液晶パネル２３が取り付けられ、液晶パネル２３の背面側に駆動回路基板２４が固定されている。・・・。
　【００１８】駆動回路基板２４には、入力されるＲＧＢ信号や垂直水平同期信号に対応した画像を液晶パネル２３に表示させるための駆動回路が実装されており、その左下には、ＲＧＢ信号や垂直水平同期信号を受けるためのコネクタ２５が取り付けられている。また、液晶パネル２３と駆動回路基板２４との間には照明用の蛍光管（図示せず）が取り付けられており、その輝度を調整するための抵抗器をコネクタ２５を介して接続できるようになっている。
　【００１９】・・・。　
　【００２０】シールド板３０は、薄い金属板によって形成され、ＬＣＤユニット２１の駆動回路と後述する表示コントローラ回路基板４５を電磁的に遮蔽するとともに、表示コントローラ基板４５を支持するためのものである。
　【００２１】シールド板３０は、駆動回路基板２４に一面側を対向させ且つコネクタ２５を覆わないように略逆Ｌ状に形成された基部３１を有しており、基部３１の四隅にはその一面側に延びたＬ字状の取付部３２が設けられ、基部３１の両端中央には一面側に延びたカバー固定部３３が設けられている。
　【００２２】各取付部３２は、駆動回路基板２４のネジ穴２６に対応する位置に形成され、その先端３２ａにはネジ穴２６と一致するネジ穴３４がそれぞれ設けられている。また、カバー固定部３３の中央にもネジ穴３６が設けられている。」（第３頁第３欄２４〜第４欄１５行）
（ウ）「【００２５】シールド板３０は、・・・ＬＣＤユニット２１に固定され、・・・
　【００２６】表示コントローラ回路基板４５は、シールド板３０の基部３１とほぼ同一の外形を有しており、遊技台の懸賞に係る画像を表示させるための表示コントローラ回路が実装されている。
　【００２７】この表示コントローラ回路は、ＣＰＵやＲＡＭ（図示せず）の他に、表示キャラクタのデータを記憶している第１のＲＯＭ４６、表示プログラムを記憶している第２のＲＯＭ４７を有し、第１のＲＯＭ４６に記憶されているキャラクタのデータを第２のＲＯＭ４７の表示プログラムにしたがって読み出し、その読み出したキャラクタの画像を表示させるための画像信号をコネクタ４８を介して出力する。」（第３頁第４欄２２〜３８行）
（エ）「【００３０】また、表示コントローラ回路基板４５の左端には、遊技台の遊技制御装置と接続するためのコネクタ５４が取り付けられている。
　【００３１】・・・表示コントローラ基板４５はシールド板３０の反対面に隙間のある状態で対向するように固定される。」（第３頁第４欄４７行〜第４頁第５欄６行）
（オ）「【００３３】カバー６０は、薄い金属板からなり、図６に示すように、ＬＣＤユニット２１の外形とほぼ等しい矩形状の背面板６１と、背面板６１の上縁から背面板６１の一面側に延びた上板６２と、背面板６１の両端から背面板６１の一面側に延びた側板６３、６４と、背面板６１の下縁から背面板６１の一面側に延びた下板６５とによって前面側が開口した略矩形箱状に形成されている。」（第４頁第５欄１１〜１８行）
（カ）「【００３６】・・・側板６３、６４の中央には、シールド板３０のカバー固定部３３のネジ穴３６に一致するネジ穴７０がそれぞれ設けられている。」（第４頁第５欄２６〜３１行）
（キ）「【００３９】カバー６０は、ＬＣＤユニット２１の背面側の駆動回路基板２４、シールド板３０および表示コントローラ回路基板４５を覆い、押さえ板６９によってＬＣＤユニット２１の両側を挟み付けるように被され、・・・ＬＣＤユニット２１の背面側に固定され、電気的に駆動回路のアースラインに接続される。」（第４頁第５欄４０〜４９行）　
（ク）「【００４７】また、前記したように、カバー６０は特殊ネジと半田付けによって固定されているので、半田鏝や専用ドライバーを用意しなければカバーを外すことはできず、短時間にＲＯＭに対する不正を行うことは不可能となる。」（第４頁第６欄３９〜４３行）
　
　上記（ア）〜（ク）の記載及び図面によれば、第１引用例には、以下の発明（以下、「引用発明Ａ」という。）が記載されている。
「遊技盤に固定される遊技台の画像表示装置２０において、
　液晶パネル２３と、
　遊技台の画像表示装置２０の照明用の蛍光管と、
　ＲＧＢ信号や垂直水平同期信号を入力して入力した信号に対応した画像を前記液晶パネル２３に表示させる駆動回路基板２４と
　を備え、内側前部に前記液晶パネル２３を取り付けた矩形枠状のフレームを有し、カバー固定部３３を形成する、シールド板３０を前記駆動回路基板２４に取り付けたＬＣＤユニット２１と、
　表示キャラクタのデータ、表示プログラムを備え、画像信号を出力する表示コントローラ回路を備え、遊技台全体の制御を行う遊技制御装置と接続するためのコネクタ５４が取り付けられた表示コントローラ回路基板４５と、
　前記シールド板３０の反対面に対向するように固定される前記表示コントローラ回路基板４５を覆う前面側が開口した略矩形箱状の金属板からなる部材であって、前記カバー固定部３３に対応するネジ穴７０を備えたカバー６０と
　を備え、前記カバー６０を、前記表示コントローラ回路基板４５を覆うように前記ＬＣＤユニット２１の背面側に固定して一体に形成した遊技台の画像表示装置２０。」　
　
（２）第２引用例に記載の技術
　原査定の拒絶の理由に引用された、平成７年７月１８日に頒布された刊行物である第２引用例（特開平７−１７８２２３号公報）には、以下の事項が記載されている。
　「【００１７】・・・液晶ユニット５３は、前方が開放した直方体状のユニット構成枠５９に集約して構成される。・・・後方に位置するプリント基板６１は、後述するＬＣＤ回路１０６の主要部分が形成されるものであり、前方に位置するプリント基板６２は、ＬＣＤ回路１０６の一部分、配線７７等のコネクタ（図示しない）、液晶パネル５５の輝度や色調等の調節器６６〜６８等が設けられるものである。また、プリント基板６２の前方には、取付突起６４が突設され、該取付突起６４にバックライト７９の高電圧発生用のインバータ基板６３が取り付けられるが、・・・」（第４頁第５欄４７行〜第６欄１３行）
　
（３）第３引用例に記載の技術
　原査定の拒絶の理由に引用された、平成１２年４月４日に頒布された刊行物である第３引用例（特開２０００−９３５９６号公報）には、以下の事項が記載されている。
　「【００３０】この表示制御装置４０は、ＣＰＵ（Central Processing Unit）４１、ＲＯＭ（Read Only Memory）４２、ＲＡＭ（Random Access Memory）４３およびＤＭＡ（Direct Memory Access）４４、クロック４５、ＶＤＰ（Video Degital Processor）４６、フォントＲＯＭ４７、ＶＤＰ４６の電気信号（入力信号）を光信号（出力信号）に変換させる際のγ補正を行うγ補正回路４８、インターフェイス４９などを備えていて・・・」（第５頁第７欄１９〜２６行）
　
（４）第４引用例に記載の技術
　平成１０年５月２９日に頒布された刊行物である第４引用例（特開平１０−１４５７０６号公報）には、以下の事項が記載されている。
（ア）「【解決手段】  クランプ回路１０には、黒レベルと白レベルとの間で変化する画像信号Ｖｉｎ１が入力される。クランプ回路１０の出力として、黒レベル、白レベル間の振幅を維持したまま、黒レベルをクランプ電圧ＶCLAMPにクランプした画像信号Ｖｉｎ２が得られる。ガンマ補正回路２０では、画像信号Ｖｉｎ２を、基準電圧Ｖｒｅｆを境にして異なる増幅率にて増幅して出力Ｖｏｕｔを得る。電圧設定回路３０は、クランプ電圧ＶCLAMP及び基準電圧Ｖｒｅｆを、それらの差電圧を一定に維持したまま可変として、クランプ回路１０及びガンマ補正回路２０に設定する。」（第１頁左下【要約】欄５〜１５行）
（イ）「【０００６】そこで、本発明の目的とするところは、クランプ回路、ガンマ補正回路の順で画像信号を処理し、クランプ電圧を適正値に調整しながら常に適正なガンマ補正を実施できるクランプ・ガンマ補正回路、並びにそれを用いることで画質を向上させることができる画像表示装置及び電子機器を提供することにある。」（第２頁第２欄２０〜２５行）
（ウ）「【００５１】第２の実施の形態　次に、図１又は図３のガンマ補正回路を用いた画像表示装置の一例を、図５以降を参照して説明する。図５には本発明を適用した画像表示装置の概略構成を示してある。
　【００５２】図５において、画像表示装置は、アクティブマトリクス型の液晶パネル１１０を用いたタイプの表示装置であり、大別して、液晶パネルブロック１００、タイミング発生回路ブロック２００、データ処理回路ブロック３００を備えている。」（第５頁第８欄１８〜２７行）
（エ）「【００５７】データ処理回路ブロック３００は、図６に示すように、大別して、第１の相展開回路３１０と、デジタル−アナログ変換回路３２０と、クランプ回路３３０と、ガンマ補正回路３４０と、極性反転回路３５０と、第２の相展開回路３８０と、接続切換回路（ローテーション回路）３９０とを有する。」（第６頁第９欄８〜１３行）
（オ）「【００６５】第１，第２のデジタル−アナログ変換回路３２２ａ，３２２ｂの出力ラインには、クランプ回路３３０とガンマ補正回路３４０とが接続されている。クランプ回路３３０として、第１のデジタル−アナログ変換回路３２２ａの出力ラインには、第１のクランプ回路３３２が接続されている。第２のデジタル−アナログ変換回路３２２ｂの出力ラインには、第２のクランプ回路３３４が接続されている。これら第１，第２のクランプ回路３３２、３３４として、図１のクランプ回路１０を使用している。ガンマ補正回路３４０として、第１のデジタル−アナログ変換回路３２２ａの出力ラインには、第１のガンマ補正回路３４２が接続されている。第２のデジタル−アナログ変換回路３２２ｂの出力ラインには、第２のガンマ補正回路３４４が接続されている。これら第１のガンマ補正回路３４２、第２のガンマ補正回路３４４として、図１のガンマ補正回路２０を用いている。」（第６頁第１０欄３７行〜第７頁第１１欄２行）
　
（５）第５引用例に記載の技術
　原査定の拒絶の理由に引用された、平成７年４月１８日に頒布された刊行物である第５引用例（特開平７−１００２５３号公報）には、以下の事項が記載されている。
　「【００３１】図７は、ゲーム制御用基板ボックスの分解斜視図である。ゲーム制御用基板ボックスは、収納ボックス本体５２、透明板６４および透明カバー体７４を備えている。・・・透明板６４および透明カバー体７４は、ポリカーボネイト等で透明に形成されている。」（第５頁第８欄４２〜４９行）
　
（６）第６引用例に記載の技術
　平成８年４月３０日に頒布された刊行物である第６引用例（特開平８−１０７９６０号公報）には、以下の事項が記載されている。
（ア）「【００１０】・・・制御基板１２のパターン面（上面）には、マイクロプロセッサやＲＯＭ等を主体とした複数の電子部品１２ａが実装されている。そして、マイクロプロセッサは、各種の図柄をパチンコ機の液晶表示器に可変表示したり、液晶表示器に特定図柄が表示されることに伴い音声を発声させたりする等の複雑な遊技動作を前記ＲＯＭに書込まれたデータに基づいて制御する。」（第２頁第２欄４７行〜第３頁第３欄５行）
（イ）「【００１６】シールドケース１３の内側には、請求項１記載の透明体に相当する透明カバー１６が収容されている。この透明カバー１６は、ポリカーボネイト樹脂から構成されたものであり、・・・。
　【００１７】・・・透明カバー１６の各脚部１６ｂおよび１６ｃが制御基板１２によって支持されることに伴い、透明カバー１６のレンズ部１６ａがシールドケース１３の窓部１３ｇを内側から閉塞している。」（第３頁第４欄１１〜２６行）
　
　
［２］本願補正発明について
（１）本願補正発明と引用発明Ａとの対比　
（ア）本願補正発明と引用発明Ａとを対比すると、引用発明Ａの「遊技台の画像表示装置２０」は、本願補正発明の「遊技機用液晶表示装置」に相当し、以下同様に、　
　「遊技盤に固定される遊技台の画像表示装置２０」は、「遊技盤に配置される遊技機用液晶表示装置」に、
　「液晶パネル２３」は、「液晶表示素子」に、　
　「遊技台の画像表示装置２０の照明用の蛍光管」は、「液晶表示器用のバックライト部」に、
　「ＲＧＢ信号や垂直水平同期信号」は、「ビデオ信号」に、　
　「シールド板３０」は、「背面板」に、
　「カバー固定部３３を形成する、シールド板３０」は、「取り付け部を形成する、背面板」に
　「ＬＣＤユニット２１」は、「画像パネルユニット」に、　
　「表示キャラクタのデータ、表示プログラム」は、「あらかじめ設定された各種の画像表示のためのデータ、画像生成のためのプログラム」に、
　「画像信号を出力する表示コントローラ回路」は、「画像を表す」「ビデオ信号を出力する処理回路」に、　
　「表示コントローラ回路基板４５」は、「画像制御基板」に、
　「覆う」は、「包囲する」に、　
　「前面側が開口した略矩形箱状」は、「ケース状」に、　
　「前記カバー固定部３３に対応するネジ穴７０」は、「前記取り付け部に対応する位置に対応する孔明部」に、　
　「カバー６０」は、「ケース部材」に、　
　「背面側に固定して」は、「背面に配置して」に、それぞれ相当する。　
（イ）引用発明Ａの「内側前部に前記液晶パネル２３（液晶表示素子）を取り付けた矩形枠状のフレームを有し」たＬＣＤユニット２１（画像パネルユニット）は、本願補正発明の「前面に前記液晶表示素子の表示面に対応した開口部を有し」た画像パネルユニットに対応する。
（ウ）本願補正発明の画像パネルユニットは、液晶表示素子と、前記液晶表示器用のバックライト部と、ビデオ信号を入力する駆動回路基板とを、「内包」したものであるが、引用発明ＡのＬＣＤユニット２１（画像パネルユニット）とは、それらを「備えた」ものである点で共通する。
（エ）引用発明ＡのＬＣＤユニット２１（画像パネルユニット）は、その駆動回路基板に、シールド板３０（背面板）を取り付けたものであるから、本願補正発明の画像パネルユニットとは、背面板を「備え」たものである点で共通する。そして、前記したように、シールド板３０（背面板）がＬＣＤユニット（画像パネルユニット）に備えられたものであるのだから、引用発明Ａの表示コントローラ回路基板４５（画像制御基板）が、「前記シールド板３０（背面板）の反対面に対向するように固定される」ことは、本願補正発明の画像制御基板が、「画像パネルユニットの背面」に「取り付け」て「配置」されたことと対応する。
（オ）引用発明Ａのカバー６０（ケース部材）について、上記第２．【２】［１］（１）の（キ）及び（ク）に摘示した第１引用例の記載によれば、「カバー６０は、ＬＣＤユニット２１の背面側の・・・表示コントローラ回路基板４５を覆い」、「カバー６０は特殊ネジと半田付けによって固定されているので、半田鏝や専用ドライバーを用意しなければカバーを外すことはできず、短時間にＲＯＭに対する不正を行うことは不可能となる。」のであるから、表示コントローラ回路基板４５を覆うカバー６０自体が、「不正防止」の機能を果たす目的を備えたものであるということができる。　
　
　そうすると、本願補正発明と引用発明Ａとは、
「遊技盤に配置される遊技機用液晶表示装置において、
　液晶表示素子と、
　前記液晶表示器用のバックライト部と、
　ビデオ信号を入力する駆動回路基板と
　を備え、前面に前記液晶表示素子の表示面に対応した開口部を有し、取り付け部を形成する、背面板を備えた画像パネルユニットと、
　あらかじめ設定された各種の画像表示のためのデータ、画像生成のためのプログラムを備え、画像を表すビデオ信号を出力する処理回路を備える画像制御基板と、
　前記画像パネルユニットの背面に取り付けられる前記画像制御基板を不正防止のために包囲するケース状の部材であって、前記取り付け部に対応する位置に対応する孔明部を備えたケース部材と
　を備え、前記画像パネルユニットの背面に前記画像制御基板を配置し、前記ケース部材を、前記画像制御基板を包囲するように前記画像パネルユニットの背面に配置して一体に形成した遊技機用液晶表示装置。」の点で一致し、以下の点で相違する。
　
　相違点Ａ．本願補正発明の駆動回路基板は、「バックライト部の蛍光管を駆動するインバータ、アナログ・ビデオ信号を入力して入力した信号のブラックレベルをクランプするクランプ回路、クランプ回路の出力にガンマ補正処理を行うガンマ補正回路、および前記ガンマ補正回路により補正された信号を前記液晶表示素子に出力する回路」を備えたものであるのに対し、引用発明Ａの駆動回路基板は、前記構成に関して、「ビデオ信号（ＲＧＢ信号や垂直水平同期信号）を入力して入力した信号に対応した画像を前記液晶表示素子（液晶パネル２３）に表示させる」ものである以外は明らかでない点。
　相違点Ｂ．画像パネルユニットについて、本願補正発明が、前面に開口部を有し、また背面板を備えて、液晶表示素子、バックライト部、駆動回路基板を、「内包」したものであるのに対し、引用発明Ａは、液晶表示素子（液晶パネル２３）を内側前部に取り付けた、すなわち、「内包」したものであるものの、駆動回路基板自体に、背面板（シールド板３０）が取り付けられているため、該駆動回路基板及びバックライト部が「内包」されているとはいえない点。
　相違点Ｃ．画像パネルユニットが備える取り付け部について、本願補正発明は、背面板の「前面と対向する背面に」形成されているのに対し、引用発明Ａは、そのような構成でない点。　
　相違点Ｄ．画像制御基板について、本願補正発明は、「外部のＣＰＵを含む基板からインターフェースを介してコマンドを入力する入力部」を備えたものであるとともに、「入力部に入力したコマンドを受けて、（前記）データを使用して当該コマンドに対応した画像を表す（前記）アナログ・ビデオ信号を出力する処理回路」を備えた構成であるのに対し、上記構成に関して、引用発明Ａは、画像制御基板が、遊技台全体の制御を行う遊技制御装置と接続するためのコネクタ５４を取り付けており、また、画像を表すビデオ信号を出力する処理回路（画像信号を出力する表示コントローラ回路）を備える点以外は明らかでない点。
　相違点Ｅ．画像制御基板を包囲するケース状の部材が、本願補正発明では、「透明」なものであるのに対し、引用発明Ａでは、「金属板からなる」ものである点。　
　
（２）相違点Ａについての判断　
　液晶表示装置に、バックライトを駆動するインバータを設けることは一般的な技術事項であり（以下、「一般技術」という。）、例えば、上記第２引用例（特開平７−１７８２２３号公報）に記載されるとおりである。
　また、上記第３引用例（特開２０００−９３５９６号公報）には、上記第２．【２】［１］（３）に摘示した記載によれば、液晶表示装置の表示制御装置に、電気信号（入力信号）を光信号（出力信号）に変換させる際のγ補正を行うγ補正回路を備えた技術が開示されている。　
　さらに、上記第４引用例（特開平１０−１４５７０６号公報）には、上記第２．【２】［１］（４）に摘示した記載及び図面によれば、液晶パネルを用いた画像表示装置のデータ処理回路が、デジタル−アナログ変換回路の出力ラインに、黒レベルをクランプ電圧にクランプするクランプ回路、ガンマ補正回路、極性反転回路、相展開回路、接続切換回路の順にこれらを接続して画像信号を処理して液晶パネルに出力する技術が開示されている。
　引用発明Ａの駆動回路基板は、前記したように、ビデオ信号を入力して、入力した信号に対応した画像を液晶表示素子に表示させるものであるが、液晶表示装置の駆動制御に係る技術としては同様である、上記一般技術及び第３並びに第４引用例に開示の上記技術を採用して、相違点Ａに係る本願補正発明のように構成することは、当業者であれば容易に想到し得る事項である。
　
（３）相違点Ｂについての判断
　引用発明Ａの駆動回路基板は、画像パネルユニット（ＬＣＤユニット２１）が備えるものであるが、背面板（シールド板３０）を取り付ける取り付け先を、駆動回路基板とするか、画像パネルユニット（ＬＣＤユニット２１）であって該駆動回路基板以外の箇所（例えば、周縁部分）とするかは、固定強度、作業性等を考慮して当業者が適宜決定する設計的事項に過ぎず、後者とした場合には、結果として、駆動回路基板、及び駆動回路基板と液晶表示素子（液晶パネル２３）との間に取り付けられるバックライト部（照明用の蛍光管）は、画像パネルユニット（ＬＣＤユニット２１）に「内包」されたものとなり、上記相違点Ｂに係る本願補正発明の構成となる。
　
（４）相違点Ｃについての判断
　画像パネルユニットが備える取り付け部の位置をどの部位にするかについても、固定強度、作業性等を考慮して当業者が適宜決定する設計的事項に過ぎず、本願補正発明の如く、背面板の「前面と対向する背面に」形成して、上記相違点Ｃに係る本願補正発明のように構成することは、当業者が容易に想到できるものである。　
　
（５）相違点Ｄについての判断
　引用発明Ａの画像制御基板（表示コントローラ回路基板４５）は、前記したように、遊技台全体の制御を行う遊技制御装置と接続するためのコネクタ５４を取り付けたものであるが、該遊技制御装置がＣＰＵを含む基板を備えることや、該遊技制御装置と接続する前記画像制御基板（表示コントローラ回路基板４５）が、該遊技制御装置からのコマンドを受けて画像を制御し、また、そのための入力部を備えることは、当業者の常識に照らせば自明である。
　そして、前記第２．【２】［２］（２）（相違点Ａについての判断）で説示したように、引用発明Ａの駆動回路基板における画像信号の処理を、第４引用例に開示された技術の如く、デジタル−アナログ変換回路の出力ラインにクランプ回路等を接続して行わせるようにすることは、当業者であれば容易に想到し得るものであり、このデジタル−アナログ変換を、画像信号の処理のいわゆる上流側にあたる別基板（画像制御基板）において行うようにすることは、各基板の機能構成や関係を考慮して、当業者が適宜行う設計的事項である。
　
（６）相違点Ｅについての判断
　遊技機の制御基板を包囲するケース状の部材を「透明」とすることは、従来周知の技術事項であり（以下、「周知技術」という。）、例えば、上記第５引用例（特開平７−１００２５３号公報）、上記第６引用例（特開平８−１０７９６０号公報）に記載されるとおりである。
　引用発明Ａのケース状の部材を、上記周知技術の如くの「透明」の部材に置換して、上記相違点Ｅに係る本願補正発明のように構成することは、当業者が容易に想到できるものである。
　　
（７）本願補正発明の作用効果の検討　
　本願補正発明の作用効果は、引用発明Ａ、第３引用例に開示の上記技術、第４引用例に開示の上記技術及び上記一般技術並びに上記周知技術に基づいて当業者が当然予測できるものである。　
　　
（８）むすび　
　よって、本件補正後の請求項１に記載された本願補正発明は、引用発明Ａ（第１引用例に記載の発明）、第３引用例に開示の上記技術、第４引用例に開示の上記技術及び上記一般技術並びに上記周知技術引用発明Ａ及び上記一般技術並びに上記周知技術に基づいて当業者が容易に発明をすることができたものであり、特許法第２９条第２項の規定により、その特許出願の際に独立して特許を受けることができない。　
　
　
［３］補正の却下の決定のむすび
　以上のとおりであるから、本件補正は、平成１８年改正前特許法第１７条の２第５項において準用する同法第１２６条第５項の規定に違反するので、特許法第１５９条第１項の規定において読み替えて準用する同法第５３条第１項の規定により却下すべきものである。　
　
　
第３．本願発明について　　
【１】本願発明　
　本願の請求項１に係る発明は、平成１６年９月６日付の手続補正が上記のとおり却下されているので、平成１５年１０月２１日付の手続補正により補正された明細書及び図面の記載からみて、その特許請求の範囲の請求項１に記載された事項により特定される以下のとおりのものである（以下、「本願発明」という。）。　
「【請求項１】　遊技盤に配置される遊技機用液晶表示装置において、
　液晶表示素子と、
　バックライト部と、
　あらかじめ設定された各種の画像表示のためのデータ、画像生成のためのプログラム、および外部のＣＰＵを含む基板からインターフェースを介してコマンドを入力する入力部を備え、前記入力部に入力したコマンドを受けて、前記データを使用して当該コマンドに対応した画像を表すビデオ信号を出力する処理回路である画像制御基板と、
　前記バックライト部の蛍光管を駆動するインバータ、およびビデオ信号を入力し、入力した信号にガンマ補正処理を行うガンマ補正回路を含み、前記ガンマ補正回路により補正された信号を使用して表示する駆動回路基板と、
　前記液晶表示素子、前記バックライト部および前記駆動回路基板を内包し、前面に前記液晶表示素子の表示面に対応した開口部を有し、前記前面と対向する背面に背面板を備えて取り付け部を形成した画像パネルユニットと、
　前記画像パネルユニットの背面に取り付けられる前記画像制御基板を不正防止のために包囲する透明なケース状の部材であって、前記画像パネルユニットの前記取り付け部に対応する位置に対応する孔明部を備えたケース部材と
　を備えて一体に形成したことを特徴とする遊技機用液晶表示装置。」 
　
　
【２】特許法第２９条２項の適用
［１］引用例に記載の発明・技術　
　第１引用例：特開２０００−８４１９６号公報
　第２引用例：特開平７−１７８２２３号公報
　第３引用例：特開２０００−９３５９６号公報
　第５引用例：特開平７−１００２５３号公報
　第６引用例：特開平８−１０７９６０号公報
　
（１）第１引用例に記載の発明　
　第１引用例（特開２０００−８４１９６号公報）に記載された事項は、上記第２．【２】［１］（１）に摘示したとおりであり、上記摘示の記載及び図面によれば、第１引用例には、以下の発明（以下、「引用発明Ｂ」という。）が記載されているものと認められる。　
「遊技盤に固定される遊技台の画像表示装置２０において、
　液晶パネル２３と、
　照明用の蛍光管と、
　表示キャラクタのデータ、表示プログラムを備え、画像信号を出力する表示コントローラ回路を備え、遊技台全体の制御を行う遊技制御装置と接続するためのコネクタ５４が取り付けられた表示コントローラ回路基板４５と、
　ＲＧＢ信号や垂直水平同期信号を入力し、入力した信号に対応した画像を前記液晶パネル２３に表示する駆動回路基板２４と、
　前記液晶パネル２３、前記照明用の蛍光管および前記駆動回路基板２４を備え、内側前部に前記液晶パネル２３を取り付けた矩形枠状のフレームを有し、前記駆動回路基板２４にシールド板３０を取り付けてカバー固定部３３を形成したＬＣＤユニット２１と、
　前記シールド板３０の反対面に対向するように固定される前記表示コントローラ回路基板４５を覆う前面側が開口した略矩形箱状の金属板からなる部材であって、前記カバー固定部３３に対応するネジ穴７０を備えたカバー６０と
　を備えて一体に形成した遊技台の画像表示装置２０。」　
　
（２）第２，第３，第５，第６引用例に記載の技術
　第２引用例（特開平７−１７８２２３号公報）、第３引用例（特開２０００−９３５９６号公報）、第５引用例（特開平７−１００２５３号公報）、第６引用例（特開平８−１０７９６０号公報）に記載された事項は、上記第２．【２】［１］（２），（３），（５），（６）にそれぞれ摘示したとおりである。
　
　
［２］本願発明と引用発明Ｂとの対比
（１）本願発明と引用発明Ｂとの対比
（ア）本願発明と引用発明Ｂとを対比すると、引用発明Ｂの「遊技台の画像表示装置２０」は、本願発明の「遊技機用液晶表示装置」に相当し、以下同様に、　
　「遊技盤に固定される遊技台の画像表示装置２０」は、「遊技盤に配置される遊技機用液晶表示装置」に、
　「液晶パネル２３」は、「液晶表示素子」に、　
　「照明用の蛍光管」は、「バックライト部」に、
　「表示キャラクタのデータ、表示プログラム」は、「あらかじめ設定された各種の画像表示のためのデータ、画像生成のためのプログラム」に、
　「画像信号を出力する表示コントローラ回路」は、「画像を表す」「ビデオ信号を出力する処理回路」に、　
　「表示コントローラ回路基板４５」は、「画像制御基板」に、
　「ＲＧＢ信号や垂直水平同期信号」は、「ビデオ信号」に、　
　「シールド板３０」は、「背面板」に、
　「カバー固定部３３」は、「取り付け部」に
　「ＬＣＤユニット２１」は、「画像パネルユニット」に、　
　「覆う」は、「包囲する」に、　
　「前面側が開口した略矩形箱状」は、「ケース状」に、　
　「前記カバー固定部３３に対応するネジ穴７０」は、「前記取り付け部に対応する位置に対応する孔明部」に、　
　「カバー６０」は、「ケース部材」に、それぞれ相当する。　
（イ）引用発明Ｂの「内側前部に前記液晶パネル２３（液晶表示素子）を取り付けた矩形枠状のフレームを有し」たＬＣＤユニット２１（画像パネルユニット）は、本願発明の「前面に前記液晶表示素子の表示面に対応した開口部を有し」た画像パネルユニットに対応する。
（ウ）本願発明の画像パネルユニットは、液晶表示素子と、バックライト部と、駆動回路基板とを、「内包」したものであるが、引用発明ＢのＬＣＤユニット２１（画像パネルユニット）とは、それらを「備えた」ものである点で共通する。
（エ）引用発明ＢのＬＣＤユニット２１（画像パネルユニット）は、その駆動回路基板に、シールド板３０（背面板）を取り付けたものであるから、本願発明の画像パネルユニットとは、背面板を「備え」たものである点で共通する。そして、前記したように、シールド板３０（背面板）がＬＣＤユニット（画像パネルユニット）に備えられたものであるのだから、引用発明Ｂの表示コントローラ回路基板４５（画像制御基板）が、「前記シールド板３０（背面板）の反対面に対向するように固定される」ことは、本願発明の画像制御基板が、「画像パネルユニットの背面」に「取り付け」られたことと対応する。
（オ）引用発明Ｂのカバー６０（ケース部材）について、上記第２．【２】［１］（１）の（キ）及び（ク）に摘示した第１引用例の記載によれば、「カバー６０は、ＬＣＤユニット２１の背面側の・・・表示コントローラ回路基板４５を覆い」、「カバー６０は特殊ネジと半田付けによって固定されているので、半田鏝や専用ドライバーを用意しなければカバーを外すことはできず、短時間にＲＯＭに対する不正を行うことは不可能となる。」のであるから、表示コントローラ回路基板４５を覆うカバー６０自体が、「不正防止」の機能を果たす目的を備えたものであるということができる。　
　
　そうすると、本願発明と引用発明Ｂとは、
「遊技盤に配置される遊技機用液晶表示装置において、
　液晶表示素子と、
　バックライト部と、
　あらかじめ設定された各種の画像表示のためのデータ、画像生成のためのプログラムを備え、画像を表すビデオ信号を出力する処理回路を備える画像制御基板と、
　ビデオ信号を入力する駆動回路基板と
　前記液晶表示素子、前記バックライト部および前記駆動回路基板を備え、前面に前記液晶表示素子の表示面に対応した開口部を有し、背面に背面板を備えて取り付け部を形成した画像パネルユニットと、
　前記画像パネルユニットの背面に取り付けられる前記画像制御基板を不正防止のために包囲するケース状の部材であって、前記取り付け部に対応する位置に対応する孔明部を備えたケース部材と
　を備えて一体に形成した遊技機用液晶表示装置。」の点で一致し、以下の点で相違する。
　
　相違点Ｆ．本願発明の駆動回路基板は、「バックライト部の蛍光管を駆動するインバータ、およびビデオ信号を入力し、入力した信号にガンマ補正処理を行うガンマ補正回路を含み、前記ガンマ補正回路により補正された信号を使用して表示する」ものであるのに対し、引用発明Ｂの駆動回路基板は、前記構成に関して、「ビデオ信号（ＲＧＢ信号や垂直水平同期信号）を入力し、入力した信号に対応した画像を前記液晶表示素子（液晶パネル２３）に表示する」ものである以外は明らかでない点。
　相違点Ｇ．画像パネルユニットについて、本願発明が、前面に開口部を有し、また背面板を備えて、液晶表示素子、バックライト部、駆動回路基板を、「内包」したものであるのに対し、引用発明Ｂは、液晶表示素子（液晶パネル２３）を内側前部に取り付けた、すなわち、「内包」したものであるものの、駆動回路基板自体に、背面板（シールド板３０）が取り付けられているため、該駆動回路基板及びバックライト部が「内包」されているとはいえない点。
　相違点Ｈ．画像パネルユニットが形成する取り付け部について、本願発明は、背面板の「前面と対向する背面に」形成しているのに対し、引用発明Ｂは、そのような構成でない点。　
　相違点Ｉ．画像制御基板について、本願発明は、「外部のＣＰＵを含む基板からインターフェースを介してコマンドを入力する入力部」を備えたものであるとともに、「入力部に入力したコマンドを受けて、（前記）データを使用して当該コマンドに対応した画像を表すビデオ信号を出力する処理回路」を備えた構成であるのに対し、上記構成に関して、引用発明Ｂは、画像制御基板が、遊技台全体の制御を行う遊技制御装置と接続するためのコネクタ５４を取り付けており、また、画像を表すビデオ信号を出力する処理回路（画像信号を出力する表示コントローラ回路）を備える点以外は明らかでない点。
　相違点Ｊ．画像制御基板を不正防止のために包囲するケース状の部材が、本願発明では、「透明」なものであるのに対し、引用発明Ｂでは、「金属板からなる」ものである点。
　
　
［３］判断
（１）相違点Ｆについて　
　液晶表示装置に、バックライトを駆動するインバータを設けることは一般的な技術事項であり（以下、「一般技術」という。）、例えば、上記第２引用例（特開平７−１７８２２３号公報）に記載されるとおりである。
　また、上記第３引用例（特開２０００−９３５９６号公報）には、上記第２．【２】［１］（３）に摘示した記載によれば、液晶表示装置の表示制御装置に、電気信号（入力信号）を光信号（出力信号）に変換させる際のγ補正を行うγ補正回路を備えた技術が開示されている。　
　引用発明Ｂの駆動回路基板は、前記したように、ビデオ信号を入力して、入力した信号に対応した画像を液晶表示素子に表示させるものであるが、液晶表示装置の駆動制御に係る技術としては同様である、上記一般技術及び第３引用例に開示の上記技術を採用して、相違点Ｆに係る本願発明のように構成することは、当業者であれば容易に想到し得る事項である。
　
（２）相違点Ｇ，Ｈについて
　相違点Ｇ，Ｈについては、上記第２．【２】［２］（３）〜（４）において、相違点Ｂ，Ｃについてした判断と同様である。
　
（３）相違点Ｉについて
　引用発明Ｂの画像制御基板（表示コントローラ回路基板４５）は、前記したように、遊技台全体の制御を行う遊技制御装置と接続するためのコネクタ５４を取り付けたものであるが、該遊技制御装置がＣＰＵを含む基板を備えることや、該遊技制御装置と接続する前記画像制御基板（表示コントローラ回路基板４５）が、該遊技制御装置からのコマンドを受けて画像を制御し、また、そのための入力部を備えることは、当業者の常識に照らせば自明であり、相違点Ｉに係る本願発明の構成は、第１引用例に記載されているに等しい事項である。
　
（４）相違点Ｊについて
　相違点Ｊについては、上記第２．【２】［２］（６）において、相違点Ｅについてした判断と同様である。
　　
（５）本願発明の作用効果の検討　
　本願発明の作用効果は、引用発明Ｂ、第３引用例に開示の上記技術及び上記一般技術並びに上記周知技術に基づいて当業者が当然予測できるものである。　
　　
　
［４］むすび　
　以上のとおり、本願発明は、引用発明Ｂ（第１引用例に記載の発明）、第３引用例に開示の技術及び一般技術並びに周知技術に基づいて、当業者が容易に発明をすることができたものであるから、特許法第２９条第２項の規定により特許を受けることができない。　
　したがって、本願は拒絶すべきものである。　
　
　よって、結論のとおり審決する。